(57)【要約】【課題】サッシ補助錠の過誤解錠・施錠の完全な防止と防犯性の格段の向上を図る。【解決手段】障子の横框に取付けられるケース（１１）と、ケースに設けられたシリンダー錠（１６）と、シリンダー錠の回転によりケース内を水平方向に往復移動されるスライダ（１８）と、ケース内に垂直軸回りに回動自在に設けられ、ケースから室内側に突出する施錠位置とケース内に没入する解錠位置との間を出没するストッパ（１２）と、ストッパを解錠位置に向けて付勢する付勢部材（１９）とを備え、キー（Ｋ）  を介してシリンダー錠を回した時は、移動されるスライダによりストッパの背面を押してストッパをケースから施錠位置に突出させて、補助錠の施錠と同時にストッパをロックするようにした。【選択図】      図４
2004360312.tif 000002
【特許請求の範囲】
【請求項１】
障子の横框内に取付けられるケースと、そのケースに設けられ、キーにより回されるシリンダー錠と、そのシリンダー錠の回転により前記ケース内を水平方向に往復移動されるスライダと、前記ケース内に垂直軸回りに回動自在に設けられ、前記ケースから室内側に突出する施錠位置と前記ケース内に没入する解錠位置との間を出没するストッパと、前記ストッパを解錠位置に向けて付勢する付勢部材とを備え、キーを介して前記シリンダー錠を所定方向に回すと、往動される前記スライダにより前記ストッパがその背面を押されて前記ケースから突出するようにしたことを特徴とする窓サッシ等の補助錠。
【請求項２】
スライダとストッパは、少なくとも施錠状態において互いに面接触する当接部を有していることを特徴する請求項１に記載の窓サッシ等の補助錠。
【発明の詳細な説明】
【０００１】
【発明の属する技術分野】
本発明は、片引戸又は引き違い戸を建て付けた窓サッシ等に用いられる補助錠に関する。
【０００２】
【従来の技術】
片引戸又は引き違い戸を建て付けた窓サッシには、通常、防犯のためにクレセント錠が取付けられるが、屋外側からガラス板の一部を破損してクレセント錠を不正に解錠される恐れがあるので、防犯性を強化するために、二つ目の錠として補助錠が用いられることがある。また、クレセント錠を施錠したままでは十分な換気ができないので、引戸を人が侵入できない程度の量だけ開けて十分な換気ができるとともに、それ以上は開けることができないように引戸をロックする換気用補助錠が、クレセント錠に加えて取付けられる場合がある。
【０００３】
往時の補助錠は、障子の横框に取付けられるケースに垂直軸回りにシーソー式に回動されて施錠位置と解錠位置に出没されるストッパを収容した構造のものであり、施錠状態でもストッパが仮係止される空締め錠であるため、ストッパはその一端部と他端部を単に押すだけで施錠位置と解錠位置に移動する。その結果、外部侵入者が屋外側から施錠状態の補助錠を容易に解錠操作して侵入したり、室内側で幼児等が悪戯してストッパを押して施錠してしまったり、あるいは医療福祉関連施設の患者等が不用意にストッパを押して解錠してしまうことがあった。
【０００４】
これに鑑み、本出願人は、上記のようにストッパの不要な作動を防止し、特定者のみの施錠及び解錠を可能にする目的で、ケース内に垂直軸回りに回動可能に収容され、ケースから突出した施錠位置とケースに没入した解錠位置との間を回動されるストッパを有する窓サッシ等の補助錠において、ケース内にストッパを施錠状態と解錠状態にそれぞれロックするためのロック手段として、ケースにシリンダー錠を設けるとともに、鍵穴に差し込んだキー（鍵）を介してシリンダー錠が回転されたことに伴いケース内で水平方向に往復移動されるスライダを収容し、ストッパの施錠時にケースから突出する部分の端部に被係合部を設けるとともにスライダのストッパ側の端部に、ストッパが没入された状態及び突出された状態においてシリンダー錠の回転に伴いスライダがストッパ方向に移動されたときにストッパの被係合部と係合する解錠時係合部及び施錠時係合部を設けた補助錠を提案した（特許文献１参照）。
【０００５】
【特許文献１】特開２００２−４６７１号公報
【０００６】
図５は同文献に開示された補助錠のストッパが没入されてロックされていない状態（補助錠解錠・ストッパ非ロック状態）を示す図であり、（ａ）は正面図、（ｂ）は平面図、（ｃ）は断面図である。図６は同補助錠のストッパが没入されてロックされている状態（補助錠解錠・ストッパロック状態）を示す図であり、（ａ）は正面図、（ｂ）は平面図、（ｃ）は断面図である。図７は同補助錠がストッパが突出されてロックされている状態（補助錠施錠・ストッパロック状態）を示す図であり、（ａ）は正面図、（ｂ）は平面図、（ｃ）は断面図である。
各図において、ＳＬは補助錠、１はケース、２はストッパ、２ａは被係合部、３は支軸、４は係止段部、５はシリンダー錠、６はスライダ、６ａは解錠時係合部、６ｂは施錠時係合部、７はリンク、８，９は軸である。
【０００７】
【発明が解決しようとする課題】
ところが、上記の提案に係る補助錠においては、ストッパの施錠位置及び解錠位置への回動操作（ストッパの押下）とキーの回転によるロック操作とは連係されておらず、図５と図６を対比すると分かるように、ストッパ没入状態（解錠状態）において鍵穴５ａに差し込んだキーを介してシリンダー錠５を任意に回して、ストッパ２をロック状態と非ロック状態のいずれにもすることができ、また、ストッパ没入（解錠）・突出（施錠）のいずれの状態においてもシリンダー錠を同一方向に回転してストッパ２をロック状態と非ロック状態のいずれにもすることができる。従って、ストッパは出・没のいずれの状態にあるかにより施錠、解錠のいずれの状態にあるかが明白であるが、そのストッパがロックされているか否かは、ストッパの外観のみ、すなわち、出没状態のみを見ても分からない。そのため、ロックさせているか否かを確認するためには、解錠位置にあるストッパについてはそのストッパの鍵穴から遠い側の端部を押し、施錠位置にあるストッパについてはそのストッパの突出している側の部分を押してみなければならない。シリンダー錠の回転範囲を９０度に設定した場合は、ストッパがロック状態にある時の鍵穴の向きはストッパが非ロック状態にある時の鍵穴の向きに対して９０度回転されているので、鍵穴の向きを調べればストッパがロックされているか否かが分かるが、このような鍵穴の向きとロックの有無の関係を常に正確に記憶することは煩雑であり、長期の内には非ロック状態のままで放置されることが有り得ることは容易に理解される。従って、上記提案に係る補助錠も防犯性及び過誤解錠・施錠防止能力が完全とはいえない。
【０００８】
本発明は、上記の点に鑑みてなされたものであり、その課題は、障子の横框に取付けられるケースに垂直軸回りに回動されて施錠位置と解錠位置に出没されるストッパと、所定のキーにより回転されてストッパを所定位置にロックするシリンダー錠とを備えたサッシの補助錠において、ストッパが施錠位置に存在する時は確実にロックされるようにし、もって、過誤解錠・施錠の完全な防止と防犯性の格段の向上を図ることにある。
【０００９】
【課題を解決するための手段】
上記課題を解決するため、本発明の補助錠は、障子の横框内に取付けられるケースと、そのケースに設けられ、キーにより回されるシリンダー錠と、そのシリンダー錠の回転により前記ケース内を水平方向に往復移動されるスライダと、前記ケース内に垂直軸回りに回動自在に設けられ、前記ケースから室内側に突出する施錠位置と前記ケース内に没入する解錠位置との間を出没するストッパと、前記ストッパを解錠位置に向けて付勢する付勢部材とを備え、キーを介して前記シリンダー錠を所定方向に回すと、往動される前記スライダにより前記ストッパがその背面を押されて前記ケースから突出するようにしたことを特徴としている。
【００１０】
上記構成により、鍵穴に挿入したキーを所定方向に回すとシリンダー錠が回転され、これに伴いスライダがストッパが移動してストッパの背面を押して施錠位置まで回動して突出させると同時にロックする。その状態でキーを抜き取ると、ストッパは施錠位置にロックされた状態を維持する。キーを再び差し込んで反対方向に回すと、ストッパは付勢部材により解錠位置まで回動復帰される。鍵穴からキーを抜き取ると、シリンダー錠の回転は不可能になる。ストッパは、その一端部を押されると回動するが、その押下力を取り除くと付勢部材により解錠位置に復帰される。従って、施錠状態のストッパに障子の開放時移動により又は解錠する試みにより押下力を受けた場合にも、その押下力がを除けば、付勢部材により解錠位置に復帰される。従って、ストッパが突出している時はロック状態にあることを、ストッパが突出していない時は非ロック状態にあることを意味する。
【００１１】
スライダ及びストッパは、少なくとも施錠状態において互いに面接触する当接部を有していることが望ましい。この構成により、施錠状態においてはストッパとスライダが広い面積で接触するので、施錠位置にあるストッパを戻す力に対する抗力が増し、ストッパは破壊から保護される。
【００１２】
【発明の実施の形態】
続いて、本発明の実施の形態について図面に基づいて説明する。
図１は本発明による補助錠を換気用補助錠として用いている場合の引き違い戸を建て付けた窓サッシの一部を示すものであり、（ａ）は閉窓状態の斜視図、（ｂ）は窓を一部開放し、補助錠を施錠した状態の斜視図である。図２は補助錠を抽出して示すものであり、（ａ）はキー挿入直前の状態における斜視図、（ｂ）は挿入したキーを所定方向に回して施錠した状態における斜視図である。図３は補助錠の内部構成部材を示す分解斜視図、図４は補助錠の作用を説明する断面図であり、（ａ）は鍵を挿入した状態における断面図、（ｂ）は鍵を回転後、抜き取った状態における断面図である。
【００１３】
図１に示すように、補助錠ＳＬは、窓サッシＷＦの引き違い障子における外障子１００の下框１０１の室内側壁の召合せ框１０２から戸当たり框１０３の方向に１０〜１５ｃｍ程度離れた位置に設けた孔（付図示）に嵌合して取付けられる。解錠状態では下框１０１の室内壁面から突出しない位置に収容されているストッパ１２が施錠された時は下框１０１の室内壁面から突出している。外障子１００を制限された所定距離まで開放すると、ストッパ１２が内障子２００の召合せ框２０３の背面に当たってこれを停止するように作用する。
【００１４】
図１の補助錠ＳＬの構成をさらに詳述すると、補助錠ＳＬはケース１１を有する。このケース１１は、正面板１１ａの背面に正面方向に開口され、周囲が遮蔽された箱１１ｂを設けてなっており、ケース１１の内部に部品収容空間１１ｃが形成されている。正面板１１ａはほぼ中央に部品収容空間１１ｃに連通する矩形の開口１１ｄを有している。そして、その開口１１ｄの中にストッパ１２が収容されている。
【００１５】
ストッパ１２は、正面側に開口１１ｄとほぼ等しい面積を有する操作部１２ａと、その操作部の一方側端（図示の例では右側端）に連なる停止部１２ｂとを有し、操作部と停止部の背面側の上下部分を連続する補強壁１２ｃを有している。補強壁１２ｃの突出端面は操作部１２ａに対してやや傾斜する傾斜部分１２ｄと、これに続き操作部１２ａと平行に延びる平行部分１２ｅとを有している。上下の補強壁の突出端面は一つの共通の面を形成している。
【００１６】
ストッパ１２はさらに操作部の背面にその長手方向の中央から停止部と反対側に寄った位置において筒部１３を有し、その筒部を貫通させた支軸１４をケース１１の箱１１ｂの上面壁と下面壁に固定することにより、ストッパ１２は垂直な支軸１３を中心に回動自在に支持され、操作部１２ａの支軸１４よりも図面において左側部分を押すと、操作部１２ａの右側部分及び停止部１２ｂがケース１１の開口１１ｄから外側に突出され、ストッパ１２に反対方向の回転力を加えると、操作部１２ａが開口１１ｄと同一面に存在するまで回転され、かつ、停止部１２ｂがケース１１内に収納されるとともに、ケースの補強壁１２ｃの平行部分１２ｅがケース１１の部品収容空間１１ｃの背面側壁面に近接するようになっている。
【００１７】
ケース１１の開口１１ｄの外障子１００の召合せ框１０３から遠い側の部分には、鍵穴１５を有するシリンダー錠１６が、その鍵穴１５をケース１１の正面に臨ませて設けられている。このシリンダー錠１６は、鍵穴１５に所定のキーＫを差し込んで水平軸回りに回転することにより、ケース１１に対して時計方向又は反時計方向に回転することができる。差し込んだキーＫを時計方向に回すとシリンダー錠が一緒に回転され、回転角度が１８０度に達すると回転が停止される。キーを反時計方向に１８０度回した時は、キーＫを鍵孔１５から抜き取ることができるようになっている。
【００１８】
図３，４に示すように、シリンダー錠１６には背後に延びる突起１７が設けられている。シリンダー錠１６の背面及びストッパ１２の補強壁の傾斜部分１２ｄとケース１１の背面壁との間には、ロック部材として機能するスライダ１８がケース１１の背面壁内面に設けられたガイド１１ｅに案内されて水平方向に移動自在に保持されている。スライダ１８は、ケース１１の背面壁に安定した状態で摺動できるように、その背面が平坦に形成され、ストッパ１２側の端部の正面側には先端にテーパ１８ａを有する押圧部１８ｂが設けられている。また、スライダ１８の他端部にはケース１１の長手方向と直角な方向に長い長孔（又は長溝）１８ｃが形成され、その長溝にシリンダー錠１６の突起１７が回動かつ摺動自在に嵌合されている。
【００１９】
こうして、キーＫを介してシリンダー錠１６を一方向に１８０度回転すると、スライダ１８がケース１１の長手方向に沿って行程の一端から他端まで移動され、反対方向に１８０度回転したときは、同行程の他端から一端に復帰されるようになっている。さらに、スライダ１８の長手方向ほぼ中央部分には貫通孔１８ｄが形成され、その貫通孔に付勢部材の一例としてコイルバネ１９が挿入され、その一端部はケース１１の背面壁に当接され、他端部はストッパ１２のシリンダー錠側の一端部に突設された突起等の固定部１２ｆに固定されている。従って、ストッパ１２は、シリンダー錠側の端部が常にケース１１の開口１１ｄ方向に付勢されている。すなわち、ストッパはその操作部１２ａが開口１１ｄを閉鎖して正面板１１ａと共通の面に存在する解錠位置に復帰するように付勢されている。
【００２０】
続いて上記構成による作用を説明する。シリンダー錠１６の鍵穴１５にキーＫを挿入していない状態では、ストッパ１２は付勢部材１９により解錠位置に保持されて、ストッパ１２の操作部１２ａがケース１１の開口１１ｃを遮閉している。すなわち、ストッパ１２はケース１１から突出されていない。この状態でストッパ１２の操作部１２ａのシリンダー錠１６側の端部を押すと、ストッパ１６は回動されるが、これを係止する手段がないので、付勢部材１９により直ちに解錠位置に戻される。従って、幼児などが遊びで、開放されている外障子１００を閉めた後ストッパ１２を押しても、補助錠ＳＬが施錠されてしまうことがない。
【００２１】
また、所定のキーＫを差し込み、これを所定方向（図示の例では時計方向）に１８０度回転すると、スライダ１８が図４において右方向に移動しながら、押圧部１８ｂのテーパ１８ａがストッパ１２の補強壁の背面の傾斜部分１２ｄを押すため、ストッパ１２は支軸１３回りに回動されて、図２（ｂ）及び図４（ｂ）に示すように、ストッパ１２がケース１１から突出する。さらに詳しくは、ストッパ１２の停止部１２ｂ側がケース１１の開口１１ｄから突出する。すなわち、ストッパ１２は施錠位置に回動され、かつ、スライダ１８により施錠状態にロックされる。この状態で、キーＫを鍵穴から抜き取ることができる。この時、シリンダー錠の突起１７はシリンダー錠の回転中心を通る水平線上においてスライダ１８の長孔１８ｃの中央に存在するので、シリンダー錠は回転後の位置に安定して維持される。
【００２２】
また、スライダ１８がロック位置まで移動された時は、その押圧部１８ｂがストッパ１２の補強壁１２ｃの端面の当接部と面接触するため、ストッパの停止部又は操作部に加わることがある大きな力に十分に対抗し得る強度を備えている。
【００２３】
図４（ｂ）から明らかなように、本発明においては、キーを回転した時は、ストッパ１２が施錠位置に回動されると同時にスライダ１８によりロックされる。従って、補助錠が障子を施錠している時、すなわち、ストッパ１２が突出している時は、そのストッパもロックされていることを意味するから、先の提案に係る補助錠と異なり、ストッパが突出していてもロックされているか否かが分からないとか、非ロック状態になっていることはなく、ストッパが突出されていることだけを確認すれば、ロックされているか否かを別に確認する必要がない。従って、ロックし忘れがないので、防犯性が向上している。また、キーを抜き取っておけば、突出しているストッパを押してもロック状態は保持されるので、幼児や精神障害者などによる過誤解錠又は過誤施錠を確実に防止することができる。
【００２４】
【発明の効果】
上述したように、本発明によれば、補助錠のケース内にストッパを解錠位置に復帰させる付勢部材を備えるとともに、ケースにシリンダー錠を設け、所定のキーによるシリンダー錠の回転に伴いケース内で水平方向に往復移動されるスライダを設け、そのスライダの移動によりストッパの背面を押して施錠位置まで回動させるように構成した。従って、補助錠が解錠状態にある場合は、ストッパに悪戯などにより押下力を加えても施錠状態になることはない。また、所定のキーを挿入して所定方向に回したときのみストッパが施錠位置に突出され、かつ、同時にロックされ、そのキーを反対方向に回したときのみストッパはロックを解除されて解錠位置に移動する。このため、特定者のみが施錠・解錠可能であり、幼児や精神障害者などによる過誤解錠又は過誤施錠が確実に防止される。さらに、ストッパが突出していることを確認すれば、施錠状態でロックされているか否かを確認する必要がなく、高い防犯性が得られる。
【図面の簡単な説明】
【図１】本発明による補助錠を換気用補助錠として用いている場合の引き違い戸を建て付けた窓サッシの一部を示し、（ａ）は閉窓状態の斜視図、（ｂ）は補助錠を施錠した状態における一部開窓状態の斜視図。
【図２】補助錠を抽出して示し、（ａ）は鍵挿入直前の状態における斜視図、（ｂ）は挿入した鍵を所定方向に回して施錠した状態における斜視図。
【図３】補助錠の内部構成部材を示す分解斜視図。
【図４】補助錠の作用を説明するものであり、（ａ）は鍵を挿入した状態における断面図、（ｂ）は鍵を回転後、抜き取った状態における断面図。
【図５】先行技術による補助錠の解錠・ストッパ非ロック状態を示す図であり、（ａ）は正面図、（ｂ）は平面図、（ｃ）は断面図。
【図６】同じく先行技術による補助錠の解錠・ストッパロック状態を示す図であり、（ａ）は正面図、（ｂ）は平面図、（ｃ）は断面図。
【図７】同じく先行技術による補助錠の施錠・ストッパロック状態を示す図であり、（ａ）は正面図、（ｂ）は平面図、（ｃ）は断面図。
【符号の説明】
１０１    障子の横框（下框）
ＳＬ      補助錠
１１      ケース
１２      ストッパ
１４      支軸
１６      シリンダー鍵
１８      スライダ
１９      付勢部材
【図１】
2004360312.tif 000003
【図２】
2004360312.tif 000004
【図３】
2004360312.tif 000005
【図４】
2004360312.tif 000006
【図５】
2004360312.tif 000007
【図６】
2004360312.tif 000008
【図７】
2004360312.tif 000009